(57)【特許請求の範囲】
【請求項１】
眼球運動を所定の方式に誘導及び補助して両脳を刺激し、精神治療をする精神治療装置であって、
使用者の目に対応する部分が開口されたフレームと、上記フレームを使用者の顔に着用するための掛け手段、上記フレームの前面に結合されるとともに、使用者の目に対して左右に移動する発光点を提供する前面パネル、音声信号を出力するためのイヤホンを備えて構成される本体と、
上記前面パネルの制御と、前記前面パネルの駆動と同期して振動パッドを駆動し、前記イヤホンによって冥想音楽を出力し、本装置の動作状態の表示、動作モード選択用ディスプレーパネル、メニュ−キ−、探索キー、方向キー及び選択キーを備えるコントロールボックスと、
一対の円形パッドと、円形パッドにそれぞれ実装される振動板とを備えて構成され使用者が手首に着用して使用する振動パッドと、
を備えて構成され、
前記本体は、ワイヤによって電気的に結合されるコントロールボックスからの制御データを基にＬＥＤ基板とモーター駆動部を駆動制御する制御部、及び制御部の制御によって振動部の振動モーターを駆動するモーター駆動部を備えて構成され、
前記コントロールボックスは、装置全体を制御するコントローラを備え、コントローラは、全体的な制御動作以外に、ナレーションの再生と各種入出力データのアナログ／デジタル及びデジタル／アナログ変換動作、ビージーとナレーション情報の合成動作を行い、  
前記制御部により駆動されるＬＥＤは、上記前面パネルの内側に横方向に沿って複数備えられ、使用者の左側の目に対応する位置に設けられる第１列と使用者の右側の目に対応する位置に設けられる第２列に分けられ、上記第１列と第２列のＬＥＤは選択的に１つずつ点滅され、その点滅位置が左側または右側方向に順次に往復移動され、
前記制御部は、上記ＬＥＤ駆動動作に同期してモーター駆動部によって振動部を駆動し、使用者の左右側の身体部位に対して、物理的な刺激を加え、
使用者が、左右の目で各々左右の列に位置するＬＥＤを見詰めるために両目に見えるＬＥＤによる光点が一致しない状態で眼球運動をして眩暈症状などを招く場合は、コントロールボックスを操作して焦点調節モードを選択し、
焦点調節モードが選択されると、コントローラと制御部は、基板上の左右側列の中央部ＬＥＤのみを点灯状態に設定し、
使用者がコントロールボックスの左側または右側の方向キーを押すたびに、コントローラ及び制御部は、中央部ＬＥＤを基準に、点灯状態のＬＥＤを左右側列の中央部または左右側列の両側に移動させ、
上記動作状態でコントローラは、スピーカーまたはイヤホンを通じて、精神病的症状を治療するための音声信号を出力し、ワイヤジャックを通じて、本体から印加されるモーター駆動信号に同期して、イヤホンによってビーフ音を出力するとともに、振動パッドを駆動して使用者の身体左右側に物理的な刺激を加える、
ことを特徴とする精神治療装置。
【請求項２】
上記前面パネルは、フレームに対して、上下方向に回転可能に結合されることを特徴とする請求項１記載の精神治療装置。
【請求項３】
上記前面パネルは、フレームの中央部を基準に、左右方向に回転可能になるように結合されることを特徴とする請求項１記載の精神治療装置。
【請求項４】
上記本体は、使用者の顔の両側面に対応される部分に、振動部をさらに備えて構成されることを特徴とする請求項１記載の精神治療装置。
【請求項５】
上記コントロールボックスは、使用者が上記第１及び第２列のＬＥＤのうち同時に点灯されるＬＥＤの位置を調節するための制御部をさらに備えて構成されることを特徴とする請求項１記載の精神治療装置。
【請求項６】
上記コントロールボックスは、上記ＬＥＤを通じて出力される光量を調節するための制御部をさらに備えて構成されることを特徴とする請求項１記載の精神治療装置。
【請求項７】
上記前面パネルがディスプレーであることを特徴とする請求項１記載の精神治療装置。
【請求項８】
上記前面パネルの前面に遮断板が備えられ、上記遮断板は、フレームに対して上下方向
に回転可能に結合されることを特徴とする請求項１記載の精神治療装置。
【発明の詳細な説明】
【技術分野】
【０００１】
本発明は、使用者の眼球運動を所定方式に誘導することによって、使用者の精神治療に效果を与えることができるようにした精神治療装置に関する。
【背景技術】
【０００２】
最近、交通事故、強姦、暴行などを含めて、戦争、自然災害など多様な形態の事故が発生している。そして、このような事故は、人の精神健康に深刻な影響及び被害を与えることになり、このような事故を経験した当事者は苦しい記憶と、外傷後ストレス障害は勿論、ひどい場合には、恐怖症、恐慌発作、小児情緒的問題などの精神病的症状に苦しむことになる。
【０００３】
従来の精神医学的治療方法としては、薬物を利用した治療方法が主に用いられて来た。しかし、このような治療方法は、その治療期間が非常に長くかかり、治療效果も非常に制限的に得られるため、多くの人がまだ上記精神病的症状に苦しんでいる。
【０００４】
上記精神病的症状を治療する方法として、目を左右に往復運動させたり、両膝を交互に叩く方法、両耳に交互に音を聞かせる方法などを通じて、人間の両脳を刺激する方法が效果的なものと報告されている。
【０００５】
特に、１９８７年アメリカの心理学者フランシーン シャピロ（Ｆｒａｎｃｉｎｅ  Ｓｈａｐｉｒｏ）は、偶然に自発的な眼球運動が否定的で気持ち悪い思いを減少させて、恐怖症や恐慌障害などに非常に效果的であるということを発見した。このような眼球運動は、通常ＥＭＤＲ（Ｅｙｅ  Ｍｏｖｅｍｅｎｔ  Ｄｅｓｅｎｓｉｔｉｚａｔｉｏｎ  ａｎｄ  Ｐｒｏｃｅｓｓｉｎｇ）と称している。このＥＭＤＲは、医者が指を左右に動いて、患者が両目で医者の指を見詰めるようにして、患者が一定の速度で眼球を左右に動くようにしながら、眼球運動とともに、例えば、左右側の手平に刺激を与える単純な方法によって実行される。ＥＭＤＲは、漸進的に多くの精神科治療に適用されており、従来の薬物治療方法に比べて、效果が早く、治療期間も非常に短縮されて、治療者と患者に非常に満足的な結果を提供しているものと報告されている。
【０００６】
また、上記両脳を刺激する方法は、深刻な精神的疾患だけでなく、従来の悪い記憶による単純な不安感や恐怖症を治癒するにも效果であるものと報告されている。
【０００７】
しかし、上記精神的治療を受けるためには、患者が精神病院を訪問して、精神科医者と面談をしなければならないが、通常、重症の患者ではない単純な情緒的不安感がある人の場合には、精神科医者を訪問することに心理的、時間的制限があるため、簡単な脳刺激運動のみで治癒することができる精神的障害を甘受しながら生活する場合が多くある。
【発明の概要】
【発明が解決しようとする課題】
【０００８】
本発明は上記問題に鑑みて創出されたものであって、一般人が一人で簡単に両脳を刺激する方式によって、精神治療をするようにする精神治療装置を提供することをその目的とする。
【課題を解決するための手段】
【０００９】
上記目的を達するための本発明の請求項１に係る精神治療装置は、  眼球運動を所定の方式に誘導及び補助して両脳を刺激し、精神治療をする精神治療装置であって、
使用者の目に対応する部分が開口されたフレームと、上記フレームを使用者の顔に着用するための掛け手段、上記フレームの前面に結合されるとともに、使用者の目に対して左右に移動する発光点を提供する前面パネル、音声信号を出力するためのイヤホンを備えて構成される本体と、
上記前面パネルの制御と、前記前面パネルの駆動と同期して振動パッドを駆動し、前記イヤホンによって冥想音楽を出力し、本装置の動作状態の表示、動作モード選択用ディスプレーパネル、メニュ−キ−、探索キー、方向キー及び選択キーを備えるコントロールボックスと、
一対の円形パッドと、円形パッドにそれぞれ実装される振動板とを備えて構成され使用者が手首に着用して使用する振動パッドと、
を備えて構成され、
前記本体は、ワイヤによって電気的に結合されるコントロールボックスからの制御データを基にＬＥＤ基板とモーター駆動部を駆動制御する制御部、及び制御部の制御によって振動部の振動モーターを駆動するモーター駆動部を備えて構成され、
前記コントロールボックスは、装置全体を制御するコントローラを備え、コントローラは、全体的な制御動作以外に、ナレーションの再生と各種入出力データのアナログ／デジタル及びデジタル／アナログ変換動作、ビージーとナレーション情報の合成動作を行い、  
前記制御部により駆動されるＬＥＤは、上記前面パネルの内側に横方向に沿って複数備えられ、使用者の左側の目に対応する位置に設けられる第１列と使用者の右側の目に対応する位置に設けられる第２列に分けられ、上記第１列と第２列のＬＥＤは選択的に１つずつ点滅され、その点滅位置が左側または右側方向に順次に往復移動され、
前記制御部は、上記ＬＥＤ駆動動作に同期してモーター駆動部によって振動部を駆動し、使用者の左右側の身体部位に対して、物理的な刺激を加え、
使用者が、左右の目で各々左右の列に位置するＬＥＤを見詰めるために両目に見えるＬＥＤによる光点が一致しない状態で眼球運動をして眩暈症状などを招く場合は、コントロールボックスを操作して焦点調節モードを選択し、
焦点調節モードが選択されると、コントローラと制御部は、基板上の左右側列の中央部ＬＥＤのみを点灯状態に設定し、
使用者がコントロールボックスの左側または右側の方向キーを押すたびに、コントローラ及び制御部は、中央部ＬＥＤを基準に、点灯状態のＬＥＤを左右側列の中央部または左右側列の両側に移動させ、
上記動作状態でコントローラは、スピーカーまたはイヤホンを通じて、精神病的症状を治療するための音声信号を出力し、ワイヤジャックを通じて、本体から印加されるモーター駆動信号に同期して、イヤホンによってビーフ音を出力するとともに、振動パッドを駆動して使用者の身体左右側に物理的な刺激を加える、
ことを特徴とする。
【００１０】
また、上記前面パネルは、フレームに対して上下方向に回転可能に結合されることを特徴とする。
【００１１】
また、上記前面パネルは、フレームの中央部を基準に、左右方向に回転可能に結合されることを特徴とする。
【００１２】
また、上記本体は、使用者の顔の両側面に対応される部分に、振動部をさらに備えて構成されることを特徴とする。  
【００１５】
上記コントロールボックスは、使用者が上記第１及び第２列のＬＥＤのうち同時に点灯されるＬＥＤの位置を調節するための制御部をさらに備えて構成されることを特徴とする。
【００１７】
上記コントロールボックスは、上記ＬＥＤを通じて出力される光量を調節するための制御部をさらに備えて構成されることを特徴とする。
【００１８】
また、上記前面パネルがディスプレーであることを特徴とする。
【００２０】
また、上記前面パネルの前面に遮断板が備えられ、上記遮断板は、フレームに対して上下方向に回転可能に結合されることを特徴とする。
【発明の効果】
【００２１】
上記のように構成された本発明によれば、使用者が本発明に係る本体を顔に着用して、前面パネルを通じて表示される光を目で眺めるだけで、正確で楽に脳刺激動作を行うことができる。
【００２２】
また、上記前面パネルの駆動と同期的に振動発生手段が駆動されるので、使用者が医者がいなくても效果的に脳刺激方式による精神治療を受けることができるようになる。
【図面の簡単な説明】
【００２３】
【図１】本発明の一実施例による精神治療装置の外観形象を示した斜視図である。
【図２】図１で本体１を前面から見た場合の外観形象を示した外観斜視図である。
【図３】図１で本体１を後面から見た場合の外観形象を示した外観斜視図である。
【図４】図２に対応される分離斜視図である。
【図５】図３に対応される分離斜視図である。
【図６】本体の駆動回路の構成を概略的に示したブロック構成図である。
【図７】図１でコントロールボックス２の前面の外観形象を示した外観斜視図である。
【図８】図１でコントロールボックス２の後面の外観形象を示した外観斜視図である。
【図９】コントロールボックス２の内部回路構成を概略的に示したブロック構成図である。
【図１０】振動パッド５の外観形象を示した斜視図である。
【図１１】図１で前面パネル１３に設置されるＬＥＤの配置構成を示した図である。
【図１２】本発明に係る精神治療装置の動作を説明するための図である。
【図１３】使用者の目に見える発光点の焦点調節動作を説明するための図である。
【図１４】使用者の目に見える発光点の焦点調節動作を説明するための図である。
【図１５】使用者の目に見える発光点の焦点調節動作を説明するための図である。
【発明を実施するための形態】
【００２４】
以下、図面を参照して本発明に係る実施例を説明する。ただし、以下に説明する実施例は本発明の１つの好ましい具現例を例示的に示したものであり、このような実施例の例示は本発明の権利範囲を制限するためのものではない。本発明はその技術的思想を逸脱しない範囲内で、種々に変形して実施することができる。
【００２５】
図１は、本発明の一実施例に係る精神治療装置の外観形象を示した斜視図である。
【００２６】
図１で精神治療装置は、基本的に顔に着用する本体１と、コントロールボックス２とを備える。また、ここに選択的に使用者が手首などに着用して使用することができる振動パッド５を備えて構成される。
【００２７】
本体１及び振動パッド５は、コントロールボックス２とワイヤ３、６によって電気的に結合され、ワイヤ３、６はコントロールボックス２に着脱可能に締結される。
【００２８】
図２及び図３は、本体１をそれぞれ前面及び後面から見た斜視図であり、図４及び図５は、図２及び図３に対応される分離斜視図である。
【００２９】
本体１は、前面が開口されたフレーム１１と、このフレーム１１の両側に結合されるともに、本体１を使用者の両側のこめかみ部分や耳にかけるための足１２を備える。このとき、足１２は、フレーム１１に対して折り曲げることができるように、ヒンジによって結合される。また、フレーム１１の後側の中央部には、本体１を使用者の鼻にかけるための鼻掛け部１１１が締結される。上記足１２と鼻掛け部１１１は、本体１を使用者の顔にかけるための掛け手段として提供されるものである。また、このような掛け手段としては、上記構造に限定されず、例えばフレーム１１をバンドで使用者の頭部分に固定する方法なども採用することができる。
【００３０】
また、上記フレーム１１の前面中央部には、前面パネル１３をフレーム１１に結合させるための結合部材１１２が締結される。特に、結合部材１１２は、フレーム１１とヒンジ結合され、前面パネル１３は、結合部材１１２と ピボット１１２ｂによって結合される。これによって、前面パネル１３は、ヒンジ軸１１２ａを基準にフレーム１１に対して上下方向に回転されるとともに、ピボット１１２ｂを基準に左右方向に回転可能になるように結合される。
【００３１】
前面パネル１３は、例えば透明材質の硝子または合成樹脂で構成され、内側中央部には、長手方向に沿ってＬＥＤ基板１３１を実装するためのＬＥＤ基板安着溝１３ａが設けられる。上記ＬＥＤ基板１３１上には、長手方向に沿って複数のＬＥＤが設置される。また、前面パネル１３としては、ＬＣＤなどのディスプレーが用いられる。また、前面パネル１３の前面には、不透明材質で構成される遮断板１４が備えられる。この遮断板１４は、フレーム１１にヒンジ結合されて、フレーム１１に対して上下方向に回転されることができるようになっている。
【００３２】
フレーム１１の前面中央部には、基板を収納するための収納部１５が設けられる。収納部１５内の基板上には、本体１を駆動するための回路部が実装される。図面に具体的に示していないが、上記収納部１５に実装される基板は、ＬＥＤ基板１３１にフレキシブルケーブルによって電気的に結合されるとともに、下記に説明する振動部１２２と電気的に結合される。また、図面に具体的に示していないが、上記結合部材１１２には、前面パネル１３と収納部１５を連結する貫通孔が形成されるとともに、前面パネル１３と収納部１５にもこれに対応する貫通孔が形成される。この貫通孔には、フレキシブルケーブルが設置される。
【００３３】
一方、上記フレーム１１の両側面には、イヤホン４を掛けするためのイヤホン掛け部１２１が設けられ、フレーム１１の後部両側には、振動部１２２を締結するための振動部締結溝１１３がそれぞれ設けられる。そして、フレーム１１の両側の下端部には、イヤホン４のジャック４１を締結するためのイヤホンジャッキホルダー１１４が形成され、図面に具体的に示していないが、フレーム１１の一側の下端部には、ワイヤ３を引き入れるためのワイヤポートが設けられる。このワイヤポートは、上記したように、フレーム１１の内側に引き入れられて、駆動回路部に電気的に結合されるとともに、イヤホンジャッキホルダー１１４に電気的に結合される。
【００３４】
図６は、本体１に備えられる駆動回路部の構成を示したブロック構成図である。本体駆動回路部は、コントロールボックス２に連結されるワイヤ３を結合するためのワイヤポート６１と、イヤホン４に結合されるイヤホン連結ポート６２、ワイヤポート６１を通じて伝送されるコントロールボックス２から制御データを基にＬＥＤ基板１３１とモーター駆動部６４を駆動制御する制御部６３、及び制御部６３の制御によって振動部１２２の振動モーターを駆動するモーター駆動部６４を備えて構成される。
【００３５】
本体１の動作電源は、コントロールボックス２からワイヤ３を通じて供給される。また、コントロールボックス２は、本体１に対してＬＥＤ駆動及び振動部１２２の駆動のための制御データと、イヤホン４によって出力される音声情報を提供する。
【００３６】
上記制御データには、ＬＥＤの駆動パターン、ＬＥＤの点滅速度、最初に点滅されるＬＥＤの位置情報、ＬＥＤの輝度情報などが含まれる。また、制御部６３からモーター駆動部６４に供給される制御信号は、ワイヤポート６１を通じてコントロールボックス２に提供される。コントロールボックス２は本体１からのモーター駆動信号に同期して振動パッド５を駆動したり、ビーフ音やナレーション情報などの音声情報を本体１側に提供する。コントロールボックス２から提供される音声情報は、イヤホン連結ポート６２を通じてイヤホン４に提供される。
【００３７】
図７は、図１でコントロールボックス２の前面外観形象を示した斜視図であり、図８は、コントロールボックス２の後面外観形象を示した斜視図である。
【００３８】
コントロールボックス２の前面には、本装置の動作状態を表示したり、動作モードを選択したりするためのディスプレーパネル２１が備えられ、このディスプレーパネル２１の下側には、メニュ−キ２２、探索キー２３、方向キー２４及び選択キー２５が備えられる。ここで、探索キー２３は、使用者が治療シナリオなどを探索するための用途で使われる。
【００３９】
コントロールボックス２の上側には、ワイヤ３を着脱可能に結合するためのワイヤジャック２６と、振動パッド５を結合するための振動パッド連結ジャック２７とが備えられる。コントロールボックス２の一側には、イヤホン４や下記に説明するスピーカー３０によって出力される音量を調節するための音量調節キー２８と、本体１の動作を一時停止させるためのホルダーキ２９が備えられる。また、図面に具体的に示していないが、コントロールボックス２の他側には、録音キーと電源キーが備えられ、コントロールボックス２の下側には、外部電源を入力するための電源ジャックと本コントロールボックス２とを、例えば、個人用コンピューターなどに結合するための例えばＵＳＢポートが備えられる。
【００４０】
また、コントロールボックス２の後面には、音声を出力するためのスピーカー３０と、コントロールボックス２を立てて支持するための支持台３１が備えられる。
【００４１】
使用者は、上記メニュ−キ２２、方向キー２４及び選択キー２５を用いて、本精神治療装置の動作モード及び動作状態を設定することができる。使用者が選択可能な動作状態設定モードとしては、例えばＬＥＤ焦点調節、ＬＥＤ駆動時のビーフ音出力、振動部１２２や振動パッド５の駆動、ナレーションの再生、ナレーション背景音楽の再生、音声録音、ＬＥＤディスプレーのスイング速度可変、ＬＥＤ輝度調節、振動部１２２や振動パッド５の振動強度調節、治療コンテンツダウンロードなどがある。使用者は、メニュ−キ２２を用いて所望の動作状態設定モードを設定した後、方向キー２４と選択キー２５を用いて動作状態を設定する。
【００４２】
図９は、上記コントロールボックス２の内部回路構成を概略的に示したブロック構成図である。
【００４３】
コントロールボックス２は、上述したように、ディスプレーパネル２１、ＵＳＢポート９１、ワイヤジャック２６、振動パッド連結ジャック２７及びスピーカー３０を備えるとともに、外部キーの操作を検出するためのキーパッド９２、ビージー及びナレーション情報を保存するためのメモリー９３、ビージーデータを再生するためのサーブデコーダー９４及び装置全体を制御するコントローラ９５を備えて構成される。特に、ここでコントローラ９５は、全体的な制御動作以外に、ナレーションの再生と各種入出力データのアナログ／デジタル及びデジタル／アナログ変換動作、ビージーとナレーション情報の合成動作などを行う。
【００４４】
また、コントロールボックス２は、上記の構成以外に、装置動作のための充放電用バッテリーなどを含む電源部を備える。
【００４５】
図１０は、振動パッド５の外観形象を示した斜視図である。振動パッド５は、一対の円形パッド５１と、円形パッド５１にそれぞれ実装される振動板５２とを備えて構成される。上記円形パッド５１は、例えばシリコーン樹脂などのような伸縮性のある材質で構成され、振動板５２は、ワイヤ６を通じてコントロールボックス２に電気的に結合される。この振動パッド５は、使用者が必要によって、これを両手首などに着用して使用する。
【００４６】
上記振動パッド５は、特定の形象のものに限定されず、例えば、使用者が手でつかみやすい楕円形球の形象で構成してもよい。
【００４７】
図１１及び図１２は、本体１の動作を説明するための説明図であり、これは本発明の本体１を顔に着用した場合、使用者の左右側の瞳Ａ、Ｂに対して  ＬＥＤ１３２が配置される形態を図示的に示したものである。
【００４８】
本体１を顔に着用すると、左右側の瞳Ａ、Ｂに対して、ＬＥＤ１３２が所定角度の範囲内で左右側に配置される。使用者がコントロールボックス２の動作モードを選択した後、これを作動させると、コントローラ９５は、ＬＥＤ１３２の初期点灯位置情報、ＬＥＤの輝度情報、振動部１２２の振動強度情報、ＬＥＤの点灯パターン情報などの作動データを本体１の制御部６３に提供する。
【００４９】
本体１の制御部６３は、コントローラ９５から印加される作動データを基に、ＬＥＤ１３２とモーター駆動部６４とを駆動制御する。即ち、制御部６３は、例えば左側に位置するＬＥＤ１３２ａから右側に位置するＬＥＤ１３２ｂ側にＬＥＤ１３２を順次にオンにし、再び、右側に位置するＬＥＤ１３２ｂから左側に位置するＬＥＤ１３２ａ側にＬＥＤ１３２を順次にオンにする。この動作を繰り返して行う。そうすると、使用者の瞳Ａ、Ｂは、オンになったＬＥＤ１３２を見詰めることになり、これによって、瞳Ａ、Ｂは、それぞれＡ１からＡ２及びＢ１からＢ２の区間を繰り返して往復運動することになる。また、制御部６３は、上記ＬＥＤ駆動動作に同期してモーター駆動部６４によって振動部１２２を駆動することによって、使用者の左右側の身体部位に対して、物理的な刺激を加えることになる。
【００５０】
また、上記動作状態でコントローラ９５は、スピーカー３０またはイヤホン４を通じて、案内音声、例えば「忘れたい記憶を思い浮かんでください」のように、使用者の精神病的症状を治療するための音声信号を出力する。また、上述したように、コントローラ９５は、ワイヤジャック２６を通じて、本体１から印加されるモーター駆動信号に同期して、即ち本体１の制御部６３が最両端に設置されたＬＥＤ１３２ａ、ＬＥＤ１３２ｂを点灯させる場合には、イヤホン４によってビーフ音を出力するとともに、振動パッド５を駆動して使用者の身体左右側に物理的な刺激を加える。勿論、この場合ビーフ音の出力と振動部１２２または振動パッド５の駆動は、使用者がコントロールボックス２のメニュ−キ２２及び選択キー２５を用いて選択的に使うことができる。
【００５１】
振動部１２２または振動パッド５の駆動は、上記ＬＥＤ１３２の駆動と同期的に行われる。即ち、制御部６３とコントローラ９５は、左側に位置するＬＥＤ１３２ａがオンになった場合には、使用者の身体の左側に対応される振動部１２２及び振動パッド５を駆動し、右側に位置するＬＥＤ１３２ｂがオンになった場合には、使用者の身体の右側に対応される振動部１２２  及び振動パッド５を駆動する。
【００５２】
また、コントロールボックス２は、使用者のイヤホン４を通じて、ＬＥＤ１３２の点滅動作に合わせて、例えばビーフ音（ｂｅｅｐ  ｓｏｕｎｄ）などの点滅音を提供することも可能である。このような点滅音の提供は、左側のＬＥＤ１３２ａがオンになった場合には、左側のイヤホンのみを通じて点滅音を提供し、右側のＬＥＤ１３２ｂがオンになった場合には、右側のイヤホンのみを通じて点滅音を提供することになる。
【００５３】
また、上記点滅音を提供するとともに、別途の冥想音楽や案内音声などをイヤホン４を通じて提供することも好ましい。
【００５４】
一方、上記装置で、使用者は、左側の目で左側の列に位置するＬＥＤ１３２を見詰めることになり、右側の目で右側の列に位置するＬＥＤ１３２を見詰めることになるので、使用者の両目に見えるＬＥＤ１３２による光点が１つに一致しない場合が発生される。また、このように両目で見るＬＥＤ１３２の焦点位置が一致しない場合、使用者の目には、２つのＬＥＤが見えることになるが、このような状態で使用者が眼球運動をする場合、眩暈症状などを招くことができる。
【００５５】
上記問題点を解決するために焦点調節機能が提供される。
【００５６】
使用者が本体１を顔に着用した状態で、ＬＥＤ１３２による放出光が図１３に示したように、２つの像に見える場合、使用者はコントロールボックス２を操作して焦点調節モードを選択する。焦点調節モードは、メニュ−キー２２と選択キー２５とを用いて選択する。焦点調節モードが設定されると、使用者は方向キー２４を用いて焦点調節動作を行うことができる。即ち、焦点調節モードが選択されると、コントローラ９５と制御部６３は、図１４で基板１３１上の左右側列の中央部に当たるＬＥＤ１３２ｃのみを点灯状態に設定して、焦点調節モードに切り替える。
【００５７】
焦点調節モードで使用者がコントロールボックス２の方向キー２４を押すと、使用者が左側または右側の方向キー２４を押すたびに、コントローラ９５及び制御部６３は、ＬＥＤ１３２ｃを基準に、点灯状態のＬＥＤ１３２をＡ側またはＢ側に移動させる。基板１３１上に実装されたＬＥＤ１３２の左右側の点灯状態がＡ方向に移動されると、点灯された左右ＬＥＤの間の距離が漸次に小くなるので、図１３で使用者の目に見える２つの像の間の距離が漸次に小くなり、ＬＥＤ１３２の左右側の点灯状態がＢ方向に移動されると、点灯された左右ＬＥＤの間の距離が漸次に大きくなるので、図１３で使用者の目に見える２つの像の間の距離は漸次に大きくなる。従って、使用者が本体１を顔に着用した状態で、方向キー２４を操作する方法によって、目に見える像の個数を１つに調節及び設定することができる。
【００５８】
上記焦点調節モードが終わると、コントローラ９５は、該ＬＥＤの点灯位置情報を保存しておき、以後の本体動作時には、保存されたＬＥＤの位置情報をＬＥＤの初期点灯位置情報として本体１に提供する。
【００５９】
一方、上記方法によって、ＬＥＤに対する視覚点が１つに設定された場合にも、使用者が本体１を顔に着用する時、本体１と両目との間の水平状態によって、図１５に示したように、目に見えるＬＥＤの発光点が２つに見えるようになる。この状態では、使用者は結合部材１１２に結合された前面パネル１３をピボット１１２ｂを中心に左右に回転させることによって目に見える発光点を  １つに一致させることができる。
【００６０】
また、上記方法によって、発光点を１つに設定した後には、結合部材１１２をフレーム１１に対して上、下方向に回転させることによって、目に見える発光点の大きさを適切に調節することができる。
【００６１】
勿論、上記焦点一致方法は、発光点をＬＥＤ１３２を用いて具現する場合を基に説明したが、このような方式は、前面パネルとしてＬＣＤなどのディスプレーを利用する場合にも同じ方式で適用することができる。ただ、ディスプレーを利用する場合には、使用者が方向キー２４を押すたびに、制御部が発光表示されるディスプレー上の画素位置を左右方向に移動させる方法で具現することができる。また、ディスプレーを利用する場合には、前面パネル１３を結合部材１１２に対して回転させる代りに、使用者が方向キーを利用して、ディスプレー上の画素位置を上下方向に移動させる方法を採用することができる。
【００６２】
上記のように構成された本発明によると、使用者が本発明に係る本体を顔に着用して前面パネルを通じて表示される光を目で眺めるだけで、正確で、楽に眼球運動を行うことができる。
【００６３】
また、上記前面パネルの駆動と同期的に振動発生手段が駆動されるようになるので、使用者は医者がいなくても、両側の脳刺激方式による精神治療を受けることができる。
【００６４】
また、本発明は上記実施例に限定されるものではなく、本発明の技術的思想を逸脱しない範囲内で種々に変形させて実施することができる。
【００６５】
例えば、上記実施例においては、本体１を別途のコントロールボックス２に結合して使用することに対して説明したが、上記コントロールボックス２としては、特定のもの以外に一般的な個人用コンピューターや携帯電話を用いて具現してものよい。
【００６６】
また、上記実施例で、フレーム１１に対して前面パネル１３を回動及び回転させるための構造も特定のものに限定されるものでなく、任意の構造を採用して用いてもよい。
【図１】
0005540215.tif 000002
【図２】
0005540215.tif 000003
【図３】
0005540215.tif 000004
【図４】
0005540215.tif 000005
【図５】
0005540215.tif 000006
【図６】
0005540215.tif 000007
【図７】
0005540215.tif 000008
【図８】
0005540215.tif 000009
【図９】
0005540215.tif 000010
【図１０】
0005540215.tif 000011
【図１１】
0005540215.tif 000012
【図１２】
0005540215.tif 000013
【図１３】
0005540215.tif 000014
【図１４】
0005540215.tif 000015
【図１５】
0005540215.tif 000016